(57)【要約】【課題】  駆動軸を有する玩具に外付けして、特に小さな玩具をも駆動させ得るモータ及びバッテリを提供する。【解決手段】  玩具２１用外付け動力である。ゼンマイ駆動される玩具２１のゼンマイ駆動軸である玩具駆動軸２２に取り付けられるモータ１３。モータ回転軸１２に着脱され、玩具２１側の駆動軸とモータ回転軸１２との間に取り付けられるアタッチメント３１、３１Ａ、３１Ｂ。  バッテリユニット４１に収納され、バッテリユニット４１にはコネクタ取付け部４６が設けられるバッテリ４２。モータ１３とバッテリ４２とを接続するケーブル６１。コネクタを差し替えることでモータ回転方向を逆転させる。  ケーブル６１の一端にはコネクタが取り付けられ、コネクタをコネクタ取付け部４６に差し込むことでモータとバッテリユニット４１を接続する。【選択図】図１
2017000261.tif 000002
【特許請求の範囲】
【請求項１】
モータ回転軸を駆動するモータと、
玩具における駆動軸寄りのモータ回転軸に着脱可能に一端は取り付けられ、他端は玩具における駆動軸に取り付けられるアタッチメントと、
モータを駆動させるバッテリと、
モータとバッテリとを接続するケーブルと
を備える、玩具用外付け動力。
【請求項２】
モータは、ゼンマイ駆動される玩具のゼンマイ駆動軸である玩具駆動軸に取り付けられる、
請求項１記載の玩具用外付け動力。
【請求項３】
バッテリはバッテリユニットに収納され、バッテリユニットにはコネクタ取付け部が設けられ、
ケーブルの一端にはコネクタが取り付けられ、
コネクタをコネクタ取付け部に差し込むことでモータとバッテリユニットを接続するとともに、
コネクタの差し込み方向を差し替えることでモータの回転方向を逆転させる、
請求項１または２のいずれか記載の玩具用外付け動力。
【請求項４】
バッテリはバッテリユニットに収納され、バッテリユニット側面に、取付用ジョイントまたは汎用ジョイント取付孔が設けられ、
複数のバッテリユニットを横に並べて、それぞれのバッテリユニットに設けられた取付用ジョイントと汎用ジョイント取付孔を結合して連結する請求項１または２または３のいずれかに記載の玩具用外付け動力。
【発明の詳細な説明】
【技術分野】
【０００１】
本発明は、玩具用外付け動力に係る。詳細には、駆動軸例えばゼンマイ等による駆動軸を有する玩具に外付けして、玩具を駆動させるモータ及びバッテリに係る。
【背景技術】
【０００２】
特許文献１に記載の「玩具用モータの取付構造及び競走用自動車玩具」には、「基体に設けられた所定の回動軸線を中心に回動可能でその回動により前記モータ収納部を開放する開放位置と前記モータ収納部を閉鎖する閉鎖位置とを取り得、前記閉鎖位置で前記モータ収納部に設置される前記モータの胴部を押さえるモータ押さえ板を備え、前記モータ押さえ板は、前記閉鎖位置にあるときに前記基体に設けた係合部に自らの或いは当該係合部の弾性によって係止可能な係止部を有する」の記載がある。
【０００３】
特許文献２に記載の「玩具用モータの取付構造」には、「基体に設けられたモータ収納部にモータを取り付けるモータの取付構造において、前記基体に設けられた所定の回動軸線を中心に回動可能でその回動により前記モータ収納部を開放する開放位置と前記モータ収納部を閉鎖する閉鎖位置とを取り得、前記閉鎖位置で前記モータ収納部に設置される前記モータの胴部を押さえるモータ押さえ板を備え、前記モータ押さえ板は、前記閉鎖位置にあるときに前記基体に設けた係合部に自らの或いは当該係合部の弾性によって係止可能な係止部を有する」についての記載がある。
【先行技術文献】
【特許文献】
【０００４】
【特許文献１】特開２００２−１４２４００号公報
【特許文献２】特開２００４−２９０７０６号公報
【発明の概要】
【発明が解決しようとする課題】
【０００５】
特許文献１及び２記載の「玩具用モータの取付構造及び競走用自動車玩具」あるいは、「玩具用モータの取付構造」は、モータを簡単に取付け・取外しができるモータの取付構造及び競走用自動車玩具に係るものではあるが、それでも大がかりであり、駆動軸を有する玩具に取り付けるものではない課題を有した。
【０００６】
本発明の目的は、駆動軸を有する玩具に外付けして、特に小さな玩具をも駆動させ得るモータ及びバッテリを提供する。
【課題を解決するための手段】
【０００７】
本発明の玩具用外付け動力は、
モータ回転軸を駆動するモータと、
玩具における駆動軸寄りのモータ回転軸に着脱可能に一端は取り付けられ、他端は玩具における駆動軸に取り付けられるアタッチメントと、
モータを駆動させるバッテリと、
モータとバッテリとを接続するケーブルと、
を備える。
【０００８】
本発明の玩具用外付け動力は、更に、
モータは、ゼンマイ駆動される玩具のゼンマイ駆動軸である玩具駆動軸に取り付けられる。
【０００９】
本発明の玩具用外付け動力は、更に、
バッテリはバッテリユニットに収納され、バッテリユニットにはコネクタ取付け部が設けられ、
ケーブルの一端にはコネクタが取り付けられ、
コネクタをコネクタ取付け部に差し込むことでモータとバッテリユニットを接続するとともに、
コネクタの差し込み方向を差し替えることでモータの回転方向を逆転させる、
を備える。
【００１０】
本発明の玩具用外付け動力は、更に、
バッテリはバッテリユニットに収納され、バッテリユニット側面に、取付用ジョイントまたは汎用ジョイント取付孔が設けられ、
複数のバッテリユニットを横に並べて、
それぞれのバッテリユニットに設けられた取付用ジョイントと汎用ジョイント取付孔を結合して連結する。
【発明の効果】
【００１１】
本発明によれば、駆動軸を有する玩具に外付けして、小さな玩具をも駆動させ得る玩具用外付け動力特にモータ及びバッテリを提供する。
【図面の簡単な説明】
【００１２】
【図１】この発明の実施の形態に係る実施例の全体概略図である。
【図２】この発明の実施の形態に係る実施例のバッテリユニット部の正面上方斜視図である。
【図３】この発明の実施の形態に係る実施例のバッテリユニットのケーブルを外した状態の背面下方視斜視図である。
【図４】この発明の実施の形態に係る実施例の実施例の動力ユニットの斜視図である
【図５】この発明の実施の形態に係る実施例の動力ユニットの分解斜視図である。
【図６】この発明の実施の形態に係る実施例のバッテリユニットのカバー取外し状態の斜視図である。
【図７】この発明の実施の形態に係る実施例のバッテリユニットの保持部材取外し状態の斜視図である。
【図８】この発明の実施の形態に係る実施例のバッテリユニット下部の斜視図である。
【図９】この発明の実施の形態に係る玩具への動力ユニットの取り付け状態の斜視図である。
【図１０】この発明の実施形態に係る他の玩具への動力ユニットの取り付け状態であり、玩具２３の外装を取り外した右側面図である。
【図１１】この発明の実施の形態に係るケーブルの一端の斜視図である。
【図１２】この発明の実施の形態に係るケーブルの一端の斜視図である。
【図１３】この発明の実施の形態に係る玩具である砲塔パーツの玩具駆動軸側からの斜視図である。
【図１４】この発明の実施の形態に係るアタッチメントを介した、玩具駆動軸とモータ回転軸の取り付け手順を示す斜視図である。
【図１５】この発明の実施の形態に係るアタッチメントと玩具駆動軸との取り付け手順を示す斜視図である。
【図１６】この発明の実施の形態に係るアタッチメントとモータ回転軸の取り付け手順を示す斜視図である。
【図１７】この発明の実施の形態に係るアタッチメントを介した玩具駆動軸とモータ回転軸および砲塔パーツの取り付け状態の斜視図である。
【図１８】この発明の実施の形態に係る複数のバッテリユニット相互の連結手順を示す斜視図である。
【図１９】この発明の実施の形態に係る複数のバッテリユニットの取り付け状態の斜視図である。
【発明を実施するための形態】
【００１３】
この発明の実施の一形態に係る実施例を図示する図面に基づいて説明する。
１１は、動力ユニットである。動力ユニット１１は、この実施例では、モータユニットからなり、動作端末の１を構成する。動力ユニット１１は、図４に図示されるように扁平な略五角柱からなる。１２は、動作軸であるモータ回転軸である。モータ回転軸１２は、図４に図示されるように、動力ユニット１１の一面中央から突出する。モータ回転軸１２先端は、取り付けるパーツに傷をつけるのを避けるため円滑な周面としており、表面にギザギザ等の凹凸は設けない。
図５に図示される１３は、モータである。モータ１３は、この実施例ではマイクロモータからなり、動力ユニット１１内に設けられた凹状からなるモータ設置部１４に収納設置される。モータ１３のモータ回転軸先端にはウォームギア１５が取り付けられる。ウォームギア１５は動力ユニット１１内部に取り付けられたギア１６と噛み合い、モータ１３は、ギア１６を駆動する。
モータ回転軸１２は、ギア１６により駆動される。
【００１４】
図９、図１３に図示される２１は、砲塔（ガトリング銃ユニットあるいは、「ハンドガトリングガン」《商標》）のパーツである玩具である。図１３に図示される２２は玩具駆動軸である。玩具駆動軸２２は、図１３に図示されるように凸状円柱に突起しており、砲塔の一部を構成する。玩具駆動軸２２は、図９に図示されるように「ボルテックスドライバー」（商標）の本体である玩具２３に設けられる凹状の嵌合孔に、凹状アタッチメント３１Ｂを介して嵌合させて取り付けられている。
玩具２１は、図９に図示されるのは、３ｍｍの軸または孔が空いたガトリングガン状玩具であるが、図示されるガトリングガン状の物以外のものでもよい。
玩具駆動軸２２は、凸状円柱に突起している。玩具駆動軸２２と、動力ユニット１１のモータ回転軸１２とを取り付ける場合は、両者とも凸状となる。そのため、そのままでは両者を嵌合させることはできない。そこで玩具駆動軸２２と、モータ回転軸１２との取り付けにはアタッチメントが必要となる。更に、モータ回転軸１２は、小径金属針としたので、資材を少なくすることが可能となり安価となったが、小径であるためアタッチメント３１が必要となった。
【００１５】
図１、図１４乃至図１７に図示されるアタッチメント３１は、先端が凹状からなる凹状アタッチメント３１Ｂと、先端が凸状からなる凸状アタッチメント３１Ａとからなる。アタッチメント３１は、玩具２１に篏合させるために、凸ピンである凸状アタッチメント３１Ａまたは凹ピンである凹状アタッチメント３１Ｂが備えつけられる。
アタッチメント３１は、一端はモータ回転軸１２先端に嵌合着脱され、他端は玩具２１側の玩具駆動軸２２に嵌合着脱され取り付けられ、模型である玩具２１側の玩具駆動軸２２とモータユニット１１のモータ回転軸１２とを連結する。
【００１６】
アタッチメント３１を介して、玩具駆動軸２２と、モータ回転軸１２とを図１６、図１７に図示されるように取り付ける。すなわち、モータ回転軸１２と、各ゼンマイ駆動等の玩具２１のゼンマイ駆動軸である玩具駆動軸２２とを、凹状アタッチメント３１Ｂあるいは、凸状アタッチメント３１Ａの両端にそれぞれ差し込み嵌め込んで取り付け、玩具駆動軸２２をモータ回転軸１２で駆動する。
凹状アタッチメント３１Ｂは、図１５、図１６に図示するように全体として円筒状からなるが、玩具駆動軸２２への取り付け端部と、モータ回転軸１２への取り付け端部では、玩具駆動軸２２あるいは、モータ回転軸１２の径に合わせて、嵌合可能なように径の大きさを変えてある。すなわち、玩具駆動軸２２側端部では、玩具銃駆動軸２２の３ｍｍの径にあわせて３ｍｍ径の大径の取付孔３１Ｂ１とし、モータ回転軸１２側端部では、モータ回転軸１２の径１ｍｍにあわせて小径の径１ｍｍ取付孔３１Ｂ２としている。
【００１７】
モータ回転軸１２と、各ゼンマイ駆動等の玩具２１の玩具駆動軸２２との取付部分の軸構成は、中心から外側へ、モータ回転軸１２、玩具駆動軸２２、凹状アタッチメント３１Ｂあるいは凸状アタッチメント３１Ａの三重構造となる。そのため、図９にあらわされるように、凹状アタッチメント３１Ｂが表面にあらわされる。また、軸の接合は密接となり動力伝達が円滑となる。
図９に図示される、駆動対象である「ボルテックスドライバー」（商標）の本体である玩具２３に、動力ユニット１１を組み込むことで、動力ユニット１１は、玩具２３の動力ユニットとして機能する。例えば、ロボット玩具の追加装備として違和感のない構成となる。
【００１８】
図１０に図示される２４、図９に図示される玩具２１はともに玩具である。玩具２１は「ハンドガトリングガン」（商標）の先端部に位置するが、他の玩具である玩具２４は、「ボルテックスドライバー」（商標）の先端部に位置する。図９に図示されるように、「ボルテックスドライバー」（商標）の本体である玩具２３は、「ハンドガトリングガン」（商標）の先端部である玩具２１と結合させて一体に組み立てられて、全体として玩具本体２５を構成する。
図１０に図示されるように、「ボルテックスドライバー」（商標）の本体である玩具２３は、「ボルテックスドライバー」（商標）の先端部である玩具２４と結合させて一体に組み立てられて、全体として玩具本体２５を構成する。図１０に示す実施例においては、動力ユニット１１のモータ回転軸１２には、玩具２４の駆動部２６が取り付けられる。そのため、モータ回転軸１２の回転に伴い玩具２４が回転される。
【００１９】
玩具２１は、「ボルテックスドライバー」（商標）の先端部である玩具２４に代えて、玩具駆動軸２２で、「ボルテックスドライバー」（商標）の本体である玩具２３に取り付けられる。
玩具２３と玩具２１は、本来それぞれ「ボルテックスドライバー」（商標）、「ハンドガトリングガン」（商標）の別の玩具の一部であるが、図９に示すように、凹状アタッチメント３１Ｂを介して接続され、一体に組み立てられる。
【００２０】
４１は、バッテリユニットである。バッテリユニット４１は、略直方体からなる外部バッテリをイメージしたデザインからなる玩具用電池ケースあるいは模型用電池ケースであり、表面には、他の模型あるいは玩具との関連性を示すための(メカ)彫刻が彫られている。
４４は、汎用ジョイント取付孔である。汎用ジョイント取付孔４４は、カバー４３とカバー４３の取り付けられる開口部４５の反対側面に位置するバッテリユニット４１の一面、その他必要箇所にも設けられる。汎用ジョイント取付孔４４は、今までの各玩具に設けられた汎用ジョイント取付孔４４のサイズに合わせた径とする。
４６は、コネクタ取付け部である。コネクタ取付け部４６は、図８に図示されるように、直方体からなるバッテリユニット４１の一端に設けられる。コネクタ取付け部４６は、略直方体からなり先端中央は楕円形の凹状からなる凹部４７を有し、凹部４７の底部中央に端子嵌合用の２個の嵌合孔が設けられている。
【００２１】
４８は、取付用ジョイントである。取付用ジョイント４８は、今までの各玩具に設けられた汎用ジョイント取付孔４４に嵌合可能な大きさの径からなる。更に、取付用ジョイント４８は、バッテリユニット４１の、汎用ジョイント取付孔４４の設けられていない側面に設けられる。取付用ジョイント４８は、円柱状の凸状突起からなり、他のバッテリユニット４１に設けられた汎用ジョイント取付孔４４に嵌合可能な太さ長さからなる。
バッテリユニット４１を、図１８、図１９に図示されるように、複数個横に並べて、それぞれのバッテリユニット４１に設けられた取付用ジョイント４８と汎用ジョイント取付孔４４の凹凸を相互に結合して組み付け、連結する。バッテリユニット４１相互の連結時には、図１８に図示されるように、一方の全体を縦方向中心を回転軸として９０度回転させて位置決めして嵌合する。バッテリユニット４１を複数連結することで、パワーアップすることが可能となる。
取付用ジョイント４８、汎用ジョイント取付孔４４の凹凸を各部分に設けることで、バッテリユニット４１他相互の嵌合は容易になり、部品相互の連結が容易となる。バッテリユニット４１の各部に汎用ジョイント取付孔４４及び取付用ジョイント４８を設けそれぞれの凹部または凸部を嵌合することで、相互に嵌合して連結し易くしている。
【００２２】
５１、５２は、コネクタである。コネクタは、２段構造になっており、コネクタ５１とコネクタ５２は重ねて、端子が嵌合され取外し可能である。コネクタ５１には、図８に図示されるような端子５１Ａと端子５１Ｂとが突設される。コネクタ５２には、端子５１Ａと端子５１Ｂとをそれぞれ受ける受け部が設けられる。コネクタ５１とコネクタ取付け部４６とは一体としてもよい。
コネクタ５１の端子５１Ａと端子５１Ｂとの、コネクタ５２との差し込み位置を差し替え、コネクタ５１の差し込み方向を１８０度替えて差し替えることでプラスとマイナスを入れ替え、モータの回転方向を逆転させる。コネクタ５１の端子５１Ａと端子５１Ｂとを入れ替えることでスイッチの作用をさせる。そのため、別途にスイッチを設ける必要がない。
コネクタ５１、５２をコネクタ取付け部４６に差し込むことで動力ユニット１１内に設置されるモータ１３とバッテリユニット４１を接続する。
コネクタ５２には、ケーブル６１が取り付けられる。ケーブル６１中には単線６２、６２が設置される。ケーブル６１は、モータ１３とバッテリ４２とを接続する。
【００２３】
図１２に図示される６３は、発光部である。発光部６３はＬＥＤ、電球を内臓させ、単線６２、６２先端に取り付けられる。発光部６３は、動作端末の他の１を構成する。
発光部６３は、玩具２１を動かす代わりに、光らせて遊ぶときに使用する。例えば透明カプセルの中に発光部６３を入れて発光させたり、銃の中に発光部６３を入れて砲塔を発光させる。または剣の先発光部６３を取り付けて光らせることも可能となる。
発光部６３を設ける代わりに、スピーカーを取り付けてもよい。その場合は、取付箇所から発声させることが可能となり、玩具２１の遊技範囲は広がる。
【００２４】
７１は、スイッチである。スイッチ７１は、矢印方向に摺動させることで、電源のオン状態とオフ状態を選択して取らせる。
８１は、保持部材である、汎用グリップである。汎用グリップ８１は、他の模型等玩具２１に保持させるための保持部材である。汎用グリップ８１は、バッテリユニット４１の少なくとも表面のいずれかの面に接続可能である。汎用グリップ８１の先端には取付用ジョイント４８と同径の突起８２が設けられる。
【００２５】
カバー４３とカバー４３の取り付けられる開口部４５の反対側面に位置するバッテリユニット４１の一面には、汎用ジョイント取付孔４４が設けられる。突起８２は、両方の汎用ジョイント取付孔４４の一方を選択して差し込まれる。
図６、図７に図示されるように、汎用グリップ８１は、突起８２を支持するコ字型の支持部８３と、支持部８３のコ字型の開口部間を空間８５を設けて連続する連結部８４を有する。連結部８４表面には、凹凸が設けられ、係止させ易くしてある。空間部８５が設けられてあるので、ロボットの手に持たせるなど、取り付けやすくしてある。
動作端末は、少なくとも発光部、動作部の少なくともいずれか一つとし、他の模型にとりつける篏合ピンの方向と動作軸の方向が異なる構成としてもよい。
【００２６】
この発明の実施例では、動力ユニット１１を他のアイテムのドライバーに使用することが可能となる。
【符号の説明】
【００２７】
１１  動力ユニット
１２  モータ回転軸
１３  モータ
２１  玩具
２２  玩具駆動軸
３１  アタッチメント
３１Ａ  凸状アタッチメント
３１Ｂ  凹状アタッチメント
４１  バッテリユニット
４２  バッテリ
４６  コネクタ取付け部
４８  取付用ジョイント
６１  ケーブル
【図１】
2017000261.tif 000003
【図２】
2017000261.tif 000004
【図３】
2017000261.tif 000005
【図４】
2017000261.tif 000006
【図５】
2017000261.tif 000007
【図６】
2017000261.tif 000008
【図７】
2017000261.tif 000009
【図８】
2017000261.tif 000010
【図９】
2017000261.tif 000011
【図１０】
2017000261.tif 000012
【図１１】
2017000261.tif 000013
【図１２】
2017000261.tif 000014
【図１３】
2017000261.tif 000015
【図１４】
2017000261.tif 000016
【図１５】
2017000261.tif 000017
【図１６】
2017000261.tif 000018
【図１７】
2017000261.tif 000019
【図１８】
2017000261.tif 000020
【図１９】
2017000261.tif 000021